(57)【要約】【課題】手前側左右の２箇所と奥側中央の１箇所の合計３箇所にバーナを有する３口ガスレンジのトッププレートを覆うガスレンジカバーにおいて、手前側２箇所のバーナの間隔が異なるガスレンジにも使用できるようなガスレンジカバーの提供。【解決手段】手前側のバーナを露出させる１個の開口部１２を有した左右一対２個の第１カバー担体２１，２１と、奥側のバーナを露出させる１個の開口部１３を有した１個の第２カバー担体３１とを有するとともに、外周縁の縁巻部１５により、第１カバー担体２１，２１が第２カバー担体３１に対して、対向側の端部２２，３２を上下に重合させた状態で左右方向に移動可能に連結されたガスレンジカバー１１。【選択図】図１
2008089234.tif 000002
【特許請求の範囲】
【請求項１】
手前側左右の２箇所と奥側中央の１箇所の合計３箇所にバーナを有する３口ガスレンジのトッププレートを覆うガスレンジカバーであって、
手前側のバーナを露出させる１個の開口部を有した左右一対２個の第１カバー担体と、奥側のバーナを露出させる１個の開口部を有した１個の第２カバー担体とを有するとともに、
第１カバー担体が、第２カバー担体に対して、対向側の端部を上下に重合させた状態で左右方向に移動可能に連結された
ガスレンジカバー。
【請求項２】
前記各カバー担体が、縁部に形成される縁巻部で摺動可能に連結された
請求項１に記載のガスレンジカバー。
【請求項３】
前記各カバー担体における対向側の端部の側部に、重合する別のカバー担体に対向する対向面側に折り返される折り返し部が形成された
請求項１または請求項２に記載のガスレンジカバー。
【発明の詳細な説明】
【技術分野】
【０００１】
この発明は、手前側左右の２箇所と奥側中央の１箇所の合計３箇所にバーナを有する３口ガスレンジのトッププレートを覆うガスレンジカバーに関し、より詳しくは、手前側２箇所のバーナの間隔が異なるガスレンジにも使用できるようなガスレンジカバーに関する。
【背景技術】
【０００２】
バーナが上述のように配置されたガスレンジでは、奥側のバーナは中央であるため問題はないが、手前側のバーナの間隔は機種によって異なる。このため、ガスレンジカバーの購入に際しては、使用しているガスレンジのバーナ間隔に合った適切なものを選択しなければならない。
【０００３】
しかし、ガスレンジカバーの購入においては一般に、予めバーナの間隔を計測してから店に出掛けることはほとんどない。店内において、何センチだったろうかと選択に迷うのが普通である。このような場合には、電話をかけて家人にバーナ間隔を測ってもらうか、出直す必要がある。つまり、顧客にとっては面倒である。
【０００４】
その一方で、店側にとっても顧客サービスとして十分でないうえに、返品があったときには面倒である。
【０００５】
このため、バーナ間隔の異なるガスレンジにも使用できるガスレンジカバーが提案されてきた。
【０００６】
たとえば、下記特許文献１のような、組み合わせ式のカバーが提案されている。これは、複数個のカバー体をガスレンジのトッププレート上に並べて使用するものである。各カバー体は、全周にカーリング形成された縁巻部を有し、これらが重なった状態、または当接した状態で並べられる。つまり、バーナ間隔が短い場合には縁巻部が重なった状態で、バーナ間隔が広い場合には縁巻部が当接した状態で配設される。しかし、各カバー体は並べられるだけであるので、特に縁巻部が重なった状態では収まりが悪い。また、バーナ間隔が広く、縁巻部が当接した状態で配設されたときには、製造における寸法誤差や、製造後の運送や管理等によって生じる不可避な変形によって、どうしてもカバー体間に隙間ができてしまい、汚れの完全な防止は期待できない。さらに、複数個のカバー体はそれぞれ別体であるので、包装に際して手間がかかり、コストアップにつながる。
【０００７】
また、２口ガスレンジのためのものであるが、下記特許文献２のようなガスレンジトッププレート覆いがある。これは、開口同士の距離を調整するための調整手段として、左右方向の中間位置に、前後方向にのびる襞状の折り曲げ線が設けられたものである。
【０００８】
しかし、このような構成は、折り曲げ線部分に奥側の開口が必要となるので、３口ガスレンジのカバーには採用できない。
【０００９】
この他に、上述のような縁巻部を利用して、３個の分割体同士を互いにスライド可能に係合させたガスレンジ汁受皿カバーが、下記特許文献３（第１７図、第１８図、第１９図参照）に開示されている。このカバーは、覆う範囲を広げられるようにしたもので、バーナ露出口を有した分割体の左右両側に、バーナ露出口を有しない分割体を、スライド可能な状態で翼状に取り付けた構成である。
【００１０】
しかし、手前側に位置する２個の開口部の間隔を変更可能にする３口ガスレンジ用のカバーは、これまで無かった。
【特許文献１】特開２００５−１６７８４号公報
【特許文献２】特許第３０４９１９１号公報
【特許文献３】実開平３−４２９１６号公報
【発明の開示】
【発明が解決しようとする課題】
【００１１】
この発明は、１枚のカバーと同じように使用できて、完全な汚れ防止を図ることができるとともに、手前側２箇所のバーナの間隔が異なる３口ガスレンジにも使用できるようなガスレンジカバーの提供を主たる課題とする。
【課題を解決するための手段】
【００１２】
そのための手段は、手前側左右の２箇所と奥側中央の１箇所の合計３箇所にバーナを有する３口ガスレンジのトッププレートを覆うガスレンジカバーであって、手前側のバーナを露出させる１個の開口部を有した左右一対２個の第１カバー担体と、奥側のバーナを露出させる１個の開口部を有した１個の第２カバー担体とを有するとともに、第１カバー担体が、第２カバー担体に対して、対向側の端部を上下に重合させた状態で左右方向に移動可能に連結されたガスレンジカバーである。
【００１３】
このガスレンジカバーでは、たとえば第２カバー担体部分を、その開口部がガスレンジの奥側のバーナに対応するように位置させた後、２個の第１カバー担体を持って、それらの開口部がそれぞれガスレンジの手前側のバーナに対応するように引き出して、あるいは押込んで、ガスレンジのトッププレートを覆って使用する。つまり、手前側２箇所のバーナの間隔が異なる３口ガスレンジにも使用できる。
【００１４】
ガスレンジカバーは、３個のカバー担体からなるものの、それぞれの対向側の端部が互いに重合するようにして連結されているので、１枚のカバーとして扱える上に、第１カバー担体間を狭めた時は勿論のこと、広げた時にも隙間はできない。このため、顧客側での使用が便利であるとともに、製造者側においても包装が簡単に行え、また、完全な汚れ防止を図ることができる。
【発明の効果】
【００１５】
以上のように、この発明によれば、手前側２箇所のバーナの間隔が異なる３口ガスレンジにも使用できるので、ガスレンジカバーの購入に際しては、バーナ間隔を測ってから購入せずともよく、顧客にとって便利である。また、複数枚がセットされたガスレンジカバーを購入した後にガスレンジが取り替えられたような場合にでも対応でき、手元に存在するガスレンジカバーが無駄になることはなく、この点でも有益である。一方、店側にとっては、ガスレンジカバーの先端に関しての顧客からの問いに対する対応が容易になり、返品手続の手間をなくすこともできる。
【発明を実施するための最良の形態】
【００１６】
１枚のカバーと同じように使用できて、完全な汚れ防止を図ることができるとともに、手前側２箇所のバーナの間隔が異なる３口ガスレンジにも使用できるようにするという目的を、手前側のバーナを露出させる１個の開口部を有した左右一対２個の第１カバー担体と、奥側のバーナを露出させる１個の開口部を有した１個の第２カバー担体とを有するとともに、第１カバー担体が、第２カバー担体に対して、対向側の端部を上下に重合させた状態で左右方向に移動可能に連結されたという構造にて実現した。
【実施例１】
【００１７】
この発明の一実施例を、以下図面を用いて説明する。  
図１は、手前側左右の２箇所と、奥側中央の１箇所の合計３箇所にバーナを有する３口ガスレンジ（図示せず）のためのガスレンジカバー１１を示す平面図である。実線がガスレンジカバー１１を縮めた状態を示し、仮想線が、伸ばした状態を示す。
【００１８】
このガスレンジカバー１１は、ガスレンジのトッププレートの略全体を覆う大きさの横なが長方形に形成され、バーナを露出させるために３個の開口部１２，１２，１３が三角形をなすように配設され、外周部には、ガスレンジのトッププレートに対応させるに必要な適宜の段差１４が形成され、外周縁部には、取扱者の手を保護するとともに、補強を行うためにカーリング形成される縁巻部１５が設けられている。この他にも必要なリブが適宜備えられる。これらは、プレスにより形成される。
【００１９】
そして、手前側に位置する２個の開口部１２，１２の間隔を調節可能にするために、ガスレンジカバー１１は３個のカバー担体２１，２１，３１で構成される。
【００２０】
これらカバー担体２１，２１，３１は、長手方向である左右方向に並ぶもので、手前側のバーナを露出させる１個の開口部１２を有した左右一対２個の第１カバー担体２１，２１と、奥側のバーナを露出させる１個の開口部１３を有した１個の第２カバー担体３１である。第１カバー担体２１，２１が、第２カバー担体３１に対して、対向側の端部２２，３２を上下に重合させた状態で左右方向に摺動可能に連結される。連結は、第２カバー担体３１が第１カバー担体２１，２１の上側に位置するようになされる。
【００２１】
第１カバー担体２１，２１と第２カバー担体３１の対向側の端部２２，３２は、左右方向と直交する方向（前後方向）に直線状に形成される。各端部２２，３２の長さ（幅）は、適応させるガスレンジのバーナ間隔にあわせて適宜の値に設定される。この際、第１カバー担体２１，２１間を最も狭めた時に、各カバー担体２１，２１，３１の端部２２，３２の縁が、開口部１２，３１と干渉しないようにする。すなわち、開口部１２，１３は、周知の通り所定大に形成され、その周囲に円錐状の傾斜面を有する環状の隆起部１２ａ，１３ａが形成されているが、この隆起部１２ａ，１３ａの下端位置から内側に端部２２，３２が位置しないように長さが設定される。
【００２２】
また、上記の連結は、第１カバー担体２１，２１の縁巻部１５と第２カバー担体３１の縁巻部１５とを同時に形成することによって行われる。つまり、各カバー担体２１，２１，３１の対向側の端部２２，３２における縁巻部１５は、相互に重なり合っており、しかも、摺動可能である。
【００２３】
このようなガスレンジカバー１１の製造は、第１カバー担体２１に対応する部分をなす平行な２本のアルミ箔ウェブと、これらの上に跨るように配置されて第２カバー担体３１に対応する部分をなす１本のアルミ箔ウェブを一体的に搬送しながら、順次プレスをして行われる。搬送を、各カバー担体２１，２１，３１の対向側の端部２２，３２が完全に重なるようにして行い、そのままプレスすれば、第１カバー担体２１，２１同士の間隔が最も狭まった状態のガスレンジカバー１１が得られる。逆に各カバー担体２１，２１，３１の対向側の端部２２，３２の一部が重なるようにして搬送し、プレスを行えば、第１カバー担体２１，２１同士の間隔が最小値ではないガスレンジカバー１１が得られる。
【００２４】
このように構成されたガスレンジカバー１１は、適宜枚数重ねられ、図２に示したようなパッケージ４１に包装される。このパッケージ４１には、図示したように、手前側左右に位置する開口部の間隔の適用範囲を示す、数値４２と目盛り４３がプリントされている。このほか、包装に際して、数値と目盛りを示した部材を添付することもできる。
【００２５】
以上のようなガスレンジカバー１１では、手前側２箇所のバーナの間隔が異なる３口ガスレンジにも使用できるので、ガスレンジカバー１１の購入に際しては、バーナ間隔を測ってから購入せずともよく、顧客にとって便利である。また、複数枚がセットされたガスレンジカバー１１を購入した後にガスレンジが取り替えられたような場合にでも対応でき、手元に存在するガスレンジカバー１１が無駄になることはなく、この点でも有益である。一方、店側にとっては、ガスレンジカバー１１の選択に関しての顧客からの問いに対する対応が容易になり、返品手続の手間をなくすこともできる。
【００２６】
使用に際しては、第１カバー担体２１，２１を第２カバー担体３１に対して出し入れして、第１カバー担体２１，２１の開口部１２の間隔が、ガスレンジのバーナの間隔に合うようにしてガスレンジのトッププレート上に敷設する。
【００２７】
第１カバー担体２１，２１間の長さの調整は、たとえば、第２カバー担体３１部分を、その開口部１３がガスレンジの奥側のバーナに対応するように位置させた後、２個の第１カバー担体２１，２１を持って、それらの開口部１２がそれぞれガスレンジの手前側のバーナに対応するように引き出して、あるいは押込んで、ガスレンジのトッププレートを覆って行う。
【００２８】
また、ガスレンジのバーナ間隔を計測してからパッケージに表示された数値と目盛りを参考にして、第１カバー担体２１，２１を第２カバー担体３１に対して出し入れして、調節を行ってから敷設することもできる。
【００２９】
第１カバー担体２１，２１は第２カバー担体３１に対して摺動するので、連続的な長さ調整が可能である。このため、計測間違いや錯誤があった場合でも対応できるとともに、バーナの周囲に適切な空間を開ける望ましい敷設が可能であり、ガスレンジの安全な使用が期待できる。
【００３０】
また、ガスレンジカバー１１は、３個のカバー担体２１，２１，３１が、それぞれの対向側の端部２２，３２を互いに重合させて連結されているので、１枚のカバーとして扱える上に、第１カバー担体間を狭めた時は勿論のこと、広げた時にも隙間はできない。このため、顧客側での使用が便利であるとともに、製造者側においても包装が簡単に行え、また、完全な汚れ防止を図ることができる。
【００３１】
しかも、各カバー担体２１，２１，３１の連結は縁巻部１５を利用して行うので、製造が容易である。また、長さを一度適切に調整した後、各カバー担体２１，２１，３１が重合している部分の縁巻部１５を潰すことで、各カバー担体２１，２１，３１の位置関係を固定できる。このため、たとえばガスレンジカバー１１に付着した汚れを拭くような場合に、各カバー担体２１，２１，３１間にずれが生じて開口部１２，１３の縁がバーナに干渉したりすることを防止できる。
【実施例２】
【００３２】
以下、この発明の他の実施例を、図面を用いて説明する。説明に際して、先の構成と同一または同等の部位については、同一の符号を付してその詳しい説明を省略する。  
図３は、ガスレンジカバー１１を縮めた状態の平面図であり、このガスレンジカバー１１は、各カバー担体２１，２１，３１における対向側の端部２２，３２の側部に、図４に示したように、重合する別のカバー担体に対向する対向面側に折り返される折り返し部２３，３３が形成されたものである。折り返し部２３，３３は、適宜幅の直線状に形成されている。
【００３３】
製造は、前述のように、第１カバー担体２１に対応する部分をなす平行な２本のアルミ箔ウェブと、これらの上に跨るように配置されて第２カバー担体３１に対応する部分をなす１本のアルミ箔ウェブを一体的に搬送しながら、順次プレスをして行われるが、プレスの前段において、各アルミ箔ウェブの必要な端縁に折り返し加工をする。すなわち、図５に示したように、第１カバー担体２１部分をなす第１アルミ箔ウェブ５１と、第２カバー担体３１部分をなす第２アルミ箔ウェブ５２とを、搬送装置５３で同期して搬送し、重合させる前段において、周知の折り返し装置からなる前処理装置５４で折り返しを行い、重合した状態のところをプレス装置５５でプレスして製造する。
【００３４】
このような折り返し部２３，３３を有したガスレンジカバー１１では、強度が高まるとともに、第１カバー担体２１，２１を第２カバー担体３１から引き出した時に、折り返し部２３，３３同士が当接するので、抜けを防止できる。
【実施例３】
【００３５】
図６、図７は、第１カバー担体２１，２１と第２カバー担体３１の対向側の端部２２，３２における縁の形状が、左右方向と直交する方向（前後方向）に直線状ではなく、少なくとも一部に曲線部分または傾斜部分を有した形に形成された例である。
【００３６】
すなわち、第１カバー担体２１の開口部１２を有する側、つまり手前側部分が対向側に向けて突出するような幅広に形成され、一方、第２カバー担体３１の開口部を有する側、つまり奥側部分が、両側に張り出すような幅広に形成されている。
【００３７】
このように構成すると、第１カバー担体２１，２１と第２カバー担体３１の対向側の端部２２，３２における縁が直線状であったときに各開口部１２，１２，１３の大きさと配置の関係上、十分な摺動長さを得られないような場合でも、必要な摺動長さを確保できる。
【００３８】
図６のガスレンジカバー１１は、上述のような形状を裁断によって得た例であり、図７のガスレンジカバー１１は、上述のような形状を折り返しによって得た例である。図７のように折り返し部２３，３３が形成されると、折り返し部２３，３３同士の当接で抜け止めを図ることができる。
【００３９】
製造は、図５に示したように、プレスの前段の前処理装置５４で、裁断や折り返しを行うことで可能となる。すなわち、前処理装置５４で裁断や折り返しが行われると、図８に示したように、各アルミ箔ウェブ５１，５２の縁が所定の形状に形成され、所定の位置関係を保ったまま搬送される。この状態の各アルミ箔ウェブ５１，５２に対して、プレス装置５５でプレスを行うと、ガスレンジカバー１１を得ることができる。
【実施例４】
【００４０】
図９は、縮めた状態のガスレンジカバー１１の平面図であり、このガスレンジカバー１１は、縁巻部１５以外の部分で、各カバー担体２１，２１，３１の摺動可能な連結を行った例である。
【００４１】
すなわち、ガスレンジカバー１１の段部１４における、手前側と奥側の２位置に、左右方向に延びる摺動連結条１６が形成されている。この摺動連結条１６は、第２カバー担体３１の全幅と、第１カバー担体の対向側の端部２２近傍とに形成される。
【００４２】
図１０が摺動連結条１６を示す断面図であり、この図に示すように、容易には外れない適宜深さの略逆Ｕ字形断面形状に形成されている。形成位置は、段差１４における立ち上がり部分に近い位置であるとよい。製品たるガスレンジカバー１１を重ねたときに、摺動連結条１６が図１０に仮想線で示したように寝るので、パッケージの嵩を抑えることができるうえに、第１カバー担体２１，２１と第２カバー担体３１の分離を自動的、積極的に抑止できる。この摺動連結条１６は、プレス工程で形成できる。
【００４３】
このような摺動連結条１６を有するガスレンジカバー１１でも、長さを適切に調整した後、摺動連結条１６における各カバー担体２１，２１，３１が重合している部分を潰すことで、各カバー担体２１，２１，３１の位置関係を固定可能である。
【００４４】
上記各実施例はこの発明を実施するための一形態であって、この発明は、その他の形態を採用することもできる。  
たとえば、別部材の取り付けでカバー担体を摺動可能に連結するもよい。
【図面の簡単な説明】
【００４５】
【図１】実施例１のガスレンジカバーを示す平面図。
【図２】ガスレンジカバーの包装状態を示す平面図。
【図３】実施例２のガスレンジカバーを示す平面図。
【図４】図３の要部を示す断面図。
【図５】ガスレンジカバーの製造方法の説明図。
【図６】実施例３のガスレンジカバーを示す平面図。
【図７】実施例３の別のガスレンジカバーを示す平面図。
【図８】ガスレンジカバーの製造方法の一部を示す説明図。
【図９】実施例４のガスレンジカバーを示す平面図。
【図１０】図４の要部を示す断面図。
【符号の説明】
【００４６】
１１…ガスレンジカバー
１２，１３…開口部
１５…縁巻部
１６…摺動連結条
２１…第１カバー担体
２２…対向側の端部
２３…折り返し部
３１…第２カバー担体
３２…対向側の端部
３３…折り返し部
【図１】
2008089234.tif 000003
【図２】
2008089234.tif 000004
【図３】
2008089234.tif 000005
【図４】
2008089234.tif 000006
【図５】
2008089234.tif 000007
【図６】
2008089234.tif 000008
【図７】
2008089234.tif 000009
【図８】
2008089234.tif 000010
【図９】
2008089234.tif 000011
【図１０】
2008089234.tif 000012